(57)【要約】【課題】信号源のエージング特性などによって受信周波数が変化してもＡＦＣ機能を発揮できるようにした無線通信装置を提供する。【解決手段】保持部１８に保持されたＡＦＣ制御データに基づいてＡＦＣ制御を行う制御部１５が、判定部１９によって基地局からの情報を正しく受信できなかったと判断された場合に、検出部２０によって検出された前記情報に係る受信信号の受信レベルが所定値以上である場合には、保持部１８に保持されたＡＦＣ制御データを変更してＡＦＣ制御を実行し、その結果、判定部１９によって前記情報を正しく受信できたと判断されると、当該変更したＡＦＣ制御データを保持部１８に登録する。【選択図】図２
2010193082.tif 000002
【特許請求の範囲】
【請求項１】
基地局からの電波を受信する受信部の受信周波数と前記基地局の送信周波数を合わせるＡＦＣ（Automatic Frequency Control）制御を行う無線通信装置であって、
ＡＦＣ制御データを保持する保持部と、
前記保持部に保持されたＡＦＣ制御データに基づいてＡＦＣ制御を行う制御部と、
前記基地局からの情報を正しく受信できたか否かを判定する判定部と、
前記基地局からの受信信号の受信レベルを検出する検出部とを備え、
前記制御部は、前記判定部によって前記情報を正しく受信できなかったと判断された場合に、前記検出部によって検出された前記情報に係る受信信号の受信レベルが所定値以上である場合には、前記保持部に保持された前記ＡＦＣ制御データを変更してＡＦＣ制御を実行し、その結果、前記判定部によって前記情報を正しく受信できたと判断されると、当該変更したＡＦＣ制御データを前記保持部に登録することを特徴とする、無線通信装置。
【発明の詳細な説明】
【技術分野】
【０００１】
本発明は無線通信装置に関し、特にＡＦＣ（Automatic Frequency Control）機能を備えた無線通信装置に関する。
【背景技術】
【０００２】
近年の無線通信、例えばデジタル移動体通信において、無線通信装置である移動体端末は、基地局の電波を受信し、その周波数に対して追従する機能であるＡＦＣ機能を備えている（例えば、特許文献１参照）。
【０００３】
ここで、図６のフローチャート（ステップＳ１００〜Ｓ１０６）に従来のＡＦＣの動作例を示す。
まず、ＡＦＣの初期値設定を行う（ステップＳ１００）。ＡＦＣの初期値設定とは、ＡＦＣ制御のための初期値を、ＡＦＣ制御値を演算する機能部に設定することを意味する。これにより、信号源であるＶＣ−ＴＣＸＯ（Voltage Controlled Temperature Compensated Crystal Oscillator）は設定された初期値に応じて周波数が可変される。この初期値とは、予め工場などで調整された値や、ＡＦＣ安定動作時に使われていた値などである。
【０００４】
次に希望周波数設定を行う（ステップＳ１０１）。希望周波数設定とは、ローカル発信器の周波数を設定することであり、移動局はこれにより基地局のチャネルに合わせることで信号を受信することができる。
続いて、ＡＦＣ初期引き込み実行処理を行う（ステップＳ１０２）。ＡＦＣ初期引き込み実行処理とは、基地局の信号を受信し、同期をとるための処理を実施することである。
【０００５】
そして、ＡＦＣ初期引き込みが成功したかどうかが判断され（ステップＳ１０３）、ＡＦＣ初期引き込みが成功しなければ（ステップＳ１０３のＮｏルート）、他のチャネルスキャンへ移行する（ステップＳ１０４）。
一方、ＡＦＣ初期引き込みが成功した場合は（ステップＳ１０３のＹｅｓルート）、基地局から受信した報知情報を正しく受信できたどうかを判断する（ステップＳ１０５）。
【０００６】
そして、報知情報を正しく受信した場合は（ステップＳ１０５のＹｅｓルート）、当該基地局に対して位置登録処理へ移行して（ステップＳ１０６）、ＡＦＣ処理を終了する。
また、報知情報を正しく受信できなかった場合は（ステップＳ１０５のＮｏルート）、他のチャネルスキャンへ移行する（ステップＳ１０４）。
【先行技術文献】
【特許文献】
【０００７】
特開平８−２９３７６３号公報
【発明の概要】
【発明が解決しようとする課題】
【０００８】
ところで、従来のＡＦＣの制御可能な周波数範囲には制限があり、変調方式としてＢＰＳＫ（Binary Phase Shift Keying）を用いる場合においては、通常の捕捉範囲は位相にして＋／−１８０度の範囲である。この捕捉可能な範囲を超えてしまうと、それが１８０度以上か、−１８０度以下であるかの判別が困難になり、同期捕捉ができなくなる。その結果、周波数補正もできなくなるのでＡＦＣとしても正常に動作できなくなる。
【０００９】
例えば、ＷＣＤＭＡ（Wideband Code Division Multiple Access）では、パイロット信号に同期する方式などが用いられるが、この場合特許文献１にあるように、位相差は＋／−１８０度以内でれば同期捕捉が可能である。その周波数の範囲は、例えばパイロットシンボルの周期が１０ｍｓｅｃの場合、±５０Ｈｚの範囲であれば捕捉可能である。周波数ずれがこの範囲を超える場合、＋３６０度又は−３６０度の方が位相差としては近くなるため、タイミングが合っても、周波数がずれた状態になり、周波数を正しく捕捉できず同期ができない状態となる。
【００１０】
また、信号源であるＶＣ−ＴＣＸＯのエージング特性によって、その発振周波数が極端にずれてしまった場合、その周波数ずれに対して常に追従していればＡＦＣでの周波数の引き込みは可能であるが、この制御範囲の限界がどちらかの位相条件を超えて捕捉範囲外となってしまい、同期可能な周波数範囲を満たせない状態となると、移動機として基地局の信号を受信できなくなるため、通信接続ができなくなってしまう。
【００１１】
従って、本発明の目的は上記した課題を解決し、信号源のエージング特性などによって自装置の受信周波数が変化してもＡＦＣ機能を発揮できるようにした無線通信装置を提供することにある。
【課題を解決するための手段】
【００１２】
上記した課題を解決するため、本発明に係る無線通信装置は、基地局からの電波を受信する受信部の受信周波数と前記基地局の送信周波数を合わせるＡＦＣ制御を行うものであって、ＡＦＣ制御データを保持する保持部と、前記保持部に保持されたＡＦＣ制御データに基づいてＡＦＣ制御を行う制御部と、前記基地局からの情報を正しく受信できたか否かを判定する判定部と、前記基地局からの受信信号の受信レベルを検出する検出部と、前記判定部によって前記情報を正しく受信できなかったと判断された場合に、前記検出部によって検出された前記情報に係る受信信号の受信レベルが所定値以上である場合には、前記保持部に保持された前記ＡＦＣ制御データを変更する変更部とを備える。
【発明の効果】
【００１３】
本発明に係る無線通信装置によれば、基地局との同期捕捉が広範囲に可能となり、信号源のエージング特性などによって自装置にて受信周波数ズレがおきた場合にも、ＡＦＣ機能を発揮することができる。
【図面の簡単な説明】
【００１４】
【図１】本発明の一実施形態に係る無線通信装置の構成を示すブロック図である。
【図２】本発明の一実施形態に係る無線通信装置のＡＦＣ制御に係る機能ブロック図である。
【図３】本発明の一実施形態に係る無線通信装置のＡＦＣ動作手順を示すフローチャートである。
【図４】本発明の一実施形態に係る無線通信装置のＡＦＣ動作手順を示すフローチャートである。
【図５】本発明の変形例としての無線通信装置のＡＦＣ動作手順を示すフローチャートである。
【図６】従来の無線通信装置のＡＦＣ動作手順を示すフローチャートである。
【発明を実施するための形態】
【００１５】
以下、本発明に係る無線通信装置を実施するための形態について、図面を参照して説明する。
【００１６】
〔１〕本発明の一実施形態について
図１は本発明の一実施形態に係る無線通信装置としての移動体通信端末の機能構成を説明するためのブロック図である。図１に示すように、本発明の一実施形態に係る移動体通信端末（以下、本通信端末という）１は、移動局アンテナ２，受信部３，信号処理部４，制御部５，メモリ６，送信部７，及びローカル発振器８により構成される。
【００１７】
本通信端末１の基本的な動作について説明する。基地局１００にて送信された高周波信号は基地局用アンテナ１０１より出力される。本通信端末１はこの基地局１００からの高周波信号を移動局アンテナ２にて受信する。
そして、受信部３が、移動局アンテナ２によって受信された高周波信号を増幅、必要な帯域制限、周波数変換して、信号処理部４へ送る。次に、信号処理部４は、受信部３によって処理された信号に復調、復号などの信号処理を施し、必要な情報を抽出する。
【００１８】
制御部５は通信端末１全体の制御を行うものであり、制御部５は基地局１００との通信のために必要なプロトコルを行うためのソフトウエアやハードウエアを制御する。
一方、受信された情報をもとに、信号処理部４が基地局１００との通信に必要なデータを信号処理し、送信信号を生成する。
【００１９】
そして、送信部７は、送信信号を変調し高周波信号へ変換して必要な電力に増幅した後、移動局アンテナ２より出力する。
メモリ６は、通信端末１を動作させるためのソフトウエアや移動局特有のパラメータなど含む必要情報や、一時的な記憶領域などを格納している。制御部５は、必要に応じてメモリ６にアクセスし、メモリ６内の情報を読み出し／書込みなどを行う。
【００２０】
ローカル発振器８は、受信側においては受信された高周波信号を信号処理部４で処理できるように周波数変換し、ベースバンド信号へ変換するためのローカル信号を発振する。なお、同様に、送信側においては、ローカル発振器８の信号が、ベースバンド信号を高周波信号へ変換するためのローカル信号として用いられる。ローカル発振器８のローカル発振器周波数の周波数安定度は、例えば信号源であるＶＣ−ＴＣＸＯなどの基準クロックに依存する。
【００２１】
図２は本通信端末１におけるＡＦＣ制御に係る機能ブロック図である。図２に示すように、本通信端末１は、ＡＦＣ機能部として、Ａ／Ｄコンバータ１０，逆拡散/ＲＡＫＥ復調部１１，復号部１２，パイロット検出部１３，周波数誤差演算部１４，ＡＦＣ制御演算部１５，Ｄ／Ａコンバータ１６，ＶＣ−ＴＣＸＯ１７，ＡＦＣ制御データ格納部１８，報知情報判定部１９，及び受信レベル検出部２０を備えている。なお、これらＡＦＣ機能の各機能部１０〜２０は、信号処理部４，制御部５，及びメモリ６のいずれかによって実現されている。
【００２２】
Ａ／Ｄコンバータ１０は、受信部３にてベースバンド帯域へ周波数変換されたアナログ信号をデジタル信号に変換するものである。
逆拡散/ＲＡＫＥ復調部１１は、Ａ／Ｄコンバータ１０によって変換されたデジタル信号を逆拡散するにより、当該デジタル信号から必要な信号を複数のパス信号として抽出し、ＲＡＫＥ合成の後、復調するものである。
【００２３】
複合部２は、逆拡散/ＲＡＫＥ復調部１１で復調された信号を復号するものである。これにより、移動体通信に必要な情報が取り出される。
パイロット検出部１３は、逆拡散/ＲＡＫＥ復調部１１によって復調された信号から周波数同期に必要なパイロット信号を取り出すものである。
周波数誤差演算部１４は、パイロット信号の周期性から位相ずれを検出し、その検出した情報から周波数誤差を演算するものである。
なお、位相ずれはパイロット検出部１３が検出してもよい。
【００２４】
ＡＦＣ制御演算部１５は、周波数誤差演算部１４によって演算された周波数誤差を基に、その周波数誤差を補正するようなＡＦＣ制御値を演算するものである。
より具体的には、ＡＦＣ制御演算部１５は、制御部５に接続された温度センサ（図示せず）によって検出された通信端末１内または外の温度に基づいて、その温度に応じたＡＦＣ制御データをＡＦＣ制御データ格納部１８から読み出してＡＦＣ制御値を求める。
Ｄ／Ａコンバータ１６は、デジタル信号をアナログ信号に変換するものであり、ＡＦＣ制御演算部１５によって演算されたＡＦＣ制御値をアナログ信号に変換してＶＣ−ＴＣＸＯ１７に入力する。
【００２５】
つまり、ＡＦＣ制御演算部１５によって演算されたＡＦＣ制御値によって、Ｄ／Ａコンバータ１６の電圧値が変更され、基準信号であるＶＣ−ＴＣＸＯ１７に与えることで、ローカル発振器８の周波数を変化させる。その結果、受信部３から出力されるベースバンド信号の周波数はそれに応じて可変される。この動作が繰り返し実行されると、周波数誤差はやがて少なくなり、基地局１００との周波数差が補正される。
【００２６】
ＡＦＣ制御データ格納部１８は、ＡＦＣ制御を行うためのＡＦＣ制御データが保存されている。例えば、ＡＦＣ制御データ格納部１８は、受信環境として本通信端末１の周辺温度や本通信端末１内の温度に応じたＡＦＣ制御データを保持している。
そして、ＡＦＣ制御演算部１５は必要に応じてＡＦＣ制御データ格納部１８に格納されたＡＦＣ制御データを読み出す、書き込むなどの処理を実行する。なお、ＡＦＣ制御演算部１５によって演算されるＡＦＣ制御値は、ＡＦＣ制御データ格納部１８に格納されたＡＦＣ制御データと同一であってもよいし、ＡＦＣ制御データを基に演算された異なるもの異なっていてもよい。つまり、ＡＦＣ制御データは、ＡＦＣ制御値そのものであってもよいし、ＡＦＣ制御演算部１５がＡＦＣ制御値を算出するためのデータであってもよい。なお、後述する図３及び図４はＡＦＣ制御データとＡＦＣ制御値とが同一である場合を示す。
【００２７】
このように、本実施形態において、ＡＦＣ制御演算部１５は、ＡＦＣ制御データ格納部１８に格納されたデータに基づいてＡＦＣ制御を行う制御部として機能する。
報知情報判定部１９は、基地局１００からの情報を正しく受信できたか否かを判定するものである。具体的には、報知情報判定部１９は、復号部１２から得られた情報のうち、基地局１００からの報知情報を抜き出し、その報知情報が正しいか否かを、ＣＲＣ（Cyclic Redundancy Check）チェックなどの報知情報の受信率を用いて判定する。
【００２８】
なお、報知情報判定部１９のＣＲＣ機能は、通常、ＡＦＣ以外の機能、例えばプロトコルを扱うソフトウエアなどで使用されており、報知情報判定部１９を実現するにあたり、従来の無線通信端末に対して新たなハードウエアなどの追加は不要である。
受信レベル検出部２０は、基地局１００からの受信信号の受信レベルを検出するものであり、ここではＡ／Ｄコンバータ１０の出力から受信信号レベルを検出する。
【００２９】
そして、本通信端末１は、ＶＣ−ＴＣＸＯ１７などのエージング特性によって周波数同期が取れない場合において、報知情報判定部１９の判定結果と、受信レベル検出部２０で得られた受信レベルとに基づいて、周波数ズレ発生を検出して所定の条件を満たした場合に、ソフトウエアによる判断により、ＡＦＣ制御演算部１５での演算処理を変更できるように構成されている。
【００３０】
つまり、ＡＦＣ制御演算部１５は、報知情報判定部１９によって報知情報を正しく受信できなかったと判断された場合に、受信レベル検出部２０によって検出された当該報知情報に係る受信信号の受信レベルが所定値以上である場合には、ＡＦＣ制御データ格納部１８に保持されたＡＦＣ制御データを変更してＡＦＣ制御を実行する。その結果、報知情報判定部１９によって報知情報を正しく受信できたと判断されると、ＡＦＣ制御演算部１５は、当該変更したＡＦＣ制御データをＡＦＣ制御データ格納部１８に上書き登録する。
【００３１】
ここで、本通信端末１のＡＦＣ動作例について説明する。図３及び図４は本通信端末１のＡＦＣ動作手順を示すフローチャート（ステップＳ１〜Ｓ１４）である。
図３に示すように、ＡＦＣ制御が開始されると、まず、ＡＦＣ制御演算部１５が、ＡＦＣ制御データ格納部１８に格納されたＡＦＣ制御のための初期値を自身に設定する（ステップＳ１）。なお、ＶＣ−ＴＣＸＯ１７はこの設定された制御値に応じて周波数が可変される。なお、初期値とは、予め工場などで調整された値、ＡＦＣ安定動作時に使われていた値などである。
【００３２】
次いで、ＡＦＣ制御演算部１５は、ローカル発信器８の周波数を設定する希望周波数設定処理を行う（ステップＳ２）。移動局はこれにより基地局のチャネルに合わせることで基地局からの信号を受信することができる。
続いて、受信レベル検出部２０が、Ａ／Ｄコンバータ１０の出力から受信信号の信号レベル（受信電力）を検出する（ステップＳ３）。
【００３３】
そして、ＡＦＣ初期引き込みが実行される（ステップＳ４）。ＡＦＣ初期引き込みとは、基地局１００の信号を受信し、同期をとるための処理を実施することであり、その引き込みは受信部３、Ａ／Ｄコンバータ１０、逆拡散/ＲＡＫＥ復調部１１、パイロット検出部１２、周波数誤差演算部１４、ＡＦＣ制御演算部１５、Ｄ／Ａコンバータ１６、ＶＣ−ＴＣＸＯ１７、ローカル発振器８のループ動作により受信された信号のタイミングおよび周波数が合うように制御される。
【００３４】
次に、ＡＦＣ制御演算部１５は、ＡＦＣの初期引き込みが成功したかどうかを判断する（ステップＳ５）。ここで、初期引き込みが失敗し、ＡＦＣ制御演算部１５が、初期引き込みが失敗したと判断すると（ステップＳ５のＮｏルート）、他のチャネルスキャンへ移行する（ステップＳ６）。ここでは、上記ステップＳ２の処理に移行し、ＡＦＣ制御演算部１５が受信チャネルを変更する（図中“Ｋ”参照）。
【００３５】
一方、初期引き込みが成功し、ＡＦＣ制御演算部１５が初期引き込みが成功したと判断した場合は（ステップＳ５のＹｅｓルート）、ＡＦＣ制御演算部１５は、基地局１００から受信した報知情報を正しく受信できたどうかを判断する（ステップＳ７）。
ＡＦＣ制御演算部１５が報知情報を正しく受信したと判断した場合は（ステップＳ７のＹｅｓルート）、ＡＦＣ制御値（ＡＦＣ制御データ）をメモリ６のＡＦＣ制御データ格納部１８に書込み記憶した後（ステップＳ８）、当該基地局１００に係る位置登録処理へ移行して（ステップＳ９）、処理を終了する。
【００３６】
一方、ＡＦＣ制御演算部１５が報知情報を正しく受信できなかったと判断した場合（ステップＳ７のＮｏルート）、ＡＦＣ制御演算部１５は、上記ステップＳ３によって検出された受信レベルが予め設定された閾値以上であるか否かを判断する（ステップＳ１０）。
ここで、受信レベルが閾値より小さく、ＡＦＣ制御演算部１５が、受信レベルが閾値以上ではないと判断すると（ステップＳ１０のＮｏルート）、他のチャネルスキャンへ移行する（ステップＳ６）。
【００３７】
一方、受信レベルが閾値以上であり、ＡＦＣ制御演算部１５が、受信レベルが閾値以上であると判断すると（ステップＳ１０のＹｅｓルート）、Ｊの処理、即ち、図４に示す処理へ移行する。
つまり、図４に示すように、ＡＦＣ制御演算部１５は、ＡＦＣ初期設定値に対して、周波数オフセットがかかるようにＡＦＣ初期設定値に＋Ｂとした値をＡＦＣ引き込みの初期値として新たに設定し、その新たなＡＦＣ設定値を使ってＡＦＣの初期引き込みを再度実行する（ステップＳ１１）。
【００３８】
この処理によってＡＦＣ初期引き込み及び報知情報の受信に成功すれば（ステップＳ１２のＹｅｓルート）、そのときのＡＦＣ制御値をメモリ６のＡＦＣ制御データ格納部１８に書込み記憶した後（ステップＳ１３）、当該基地局１００に係る位置登録処理へ移行して（ステップＳ１４）、処理を終了する。
一方、ＡＦＣ初期引き込みまたは報知情報の受信に失敗すれば（ステップＳ１２のＮｏルート）、ＡＦＣ制御演算部１５は、ＡＦＣ初期設定値に対して、周波数オフセットがかかるようにＡＦＣ初期設定値に−Ｂとした値をＡＦＣ引き込みの初期値として新たに設定してＡＦＣ初期引き込みを実行する（ステップＳ１５）。
【００３９】
そして、ＡＦＣ制御演算部１５は、ＡＦＣ初期引き込み及び報知情報の受信に成功したか否かを判断する（ステップＳ１６）。
ここでＡＦＣ初期引き込み及び報知情報の受信に成功すれば（ステップＳ１６のＹｅｓルート）、そのときのＡＦＣ制御値をメモリ６のＡＦＣ制御データ格納部１８に書込み記憶した後（ステップＳ１３）、当該基地局１００に係る位置登録処理へ移行して（ステップＳ１４）、処理を終了する。
【００４０】
一方、ＡＦＣ初期引き込みまたは報知情報の受信に失敗すれば（ステップＳ１６のＮｏルート）、ＡＦＣ制御演算部１５は、雑音レベルが多い、あるいは無効なセルであると判断し、他のチャネルスキャンへ移行する（ステップ１７）。即ち、Ｋの処理に移行する（図３参照）。
なお、この場合に、そのＡＦＣ制御値は再びＡＦＣ初期設定値に戻ってもよい。
【００４１】
また、ここでは＋Ｂ、−Ｂの順番の例を挙げているが、扱う順番はどちらでも良い。
さらに、上記ステップＳ１６のＮｏルートの場合、ステップＳ１７にすぐに移行せずに、ステップＳ１１〜Ｓ１６の処理をループさせて所定回実行しても良い。つまり、ＡＦＣ初期値に＋Ｂを累積的に付与していき、その都度ステップＳ１２の処理を行い、また、ＡＦＣ初期値に−Ｂを累積的に付与していき、その都度ステップＳ１６の処理を行うようにしてもよい。
また、ＡＦＣ制御値をメモリに登録後（ステップＳ８，Ｓ１３）は、次回のＡＦＣ初期値として、その登録された値を設定してもよい。
【００４２】
このように、本通信端末１は、報知情報を正しく受信できなかった場合に、受信レベル及び試行回数を制限してＡＦＣの制御値を変更し、広範囲の周波数捕捉を可能することが出来る。
特に上述した例は、ＡＦＣが正常に動作しない範囲で誤った検出をした場合にＡＦＣの制御値が変更される広範囲の周波数捕捉を可能することが出来るものである。
【００４３】
ここで周波数オフセットがかかるようにＡＦＣ制御値を変更する処理により広範囲の周波数補足を可能とするとあるが、例えば通常のＡＦＣ引き込み可能な範囲が０±Ａであれば、広範囲の処理の際は、Ｂ±Ａや−Ｂ±Ａというように、制御値の中心をずらすことで実施する。
Ｂの条件はＢ＝Ａ、Ｂ＜Ａにて設定できるものである。例えば、ＡＦＣ初期設定値がＤ／Ａコンバータ１６の値として、１２００Ｄｅｃ、Ａが３００Ｄｅｃであるならば、Ｂは２００Ｄｅｃなどのように設定する。Ｂ＜Ａという条件により、ＡＦＣ初期設定値を用いた場合のＡＦＣの制御範囲とＡＦＣ初期設定値＋Ｂ又はＡＦＣ初期設定値−Ｂの変更後のＡＦＣの制御範囲はオーバーラップすることになり、ＡＦＣ初期設定値＋ＢからＡＦＣ初期設定値−Ｂまでの連続した範囲での制御が可能となる。また、これによりＶＣ−ＴＣＸＯ１７の周波数はその範囲にて周波数が可変されることで広範囲の周波数ずれに対して周波数捕捉が可能になる。
【００４４】
このように、通信端末１のＡＦＣの制御範囲には限界があり、例えばパイロットチャネルの伝送レートの周波数が１５ｋＨｚの場合、その制御範囲は±７．５ｋＨｚ程度である。このとき、７．５ＫＨｚ付近になると、通信装置１は、あたかも同期したかのように誤検出し、周波数がずれた状態で次の報知情報（ＢＣＨ：Broadcasting Channel）受信へ移行してしまう。しかし、温度条件や、ＶＣ−ＴＣＸＯ１７の経年変化が原因で７．５ｋＨｚ付近に達してしまったときには、使用不能の状態になる。これを避けるため、引き込み処理（Acquisition）が成功し、報知情報の受信が失敗(エラーが大きい場合など)を検出し、受信信号レベルが高い条件(閾値以上)のａｎｄ条件により、通信端末１は、そこに基地局１００の信号があり、周波数補正が必要であると判断し、ＡＦＣ制御データ格納部１８（ＡＦＣ制御テーブル）の値に、例えば＋６ｋＨzしたＡＦＣ制御値を用いて基地局との引き込み処理を実行し、さらに同期が取れない場合、ＡＦＣ制御テーブルの値に−６ｋＨｚしたＡＦＣ制御値を用いて基地局との引き込み処理を実行する。そして、基地局との同期が成功し、正しく報知情報が読むことができれば、ＡＦＣ制御演算部１５は、その成功したＡＦＣ制御値をＡＦＣ制御テーブルに上書き登録する。
【００４５】
また、受信レベルの閾値は任意で設定が可能であり、メモリ６に保存してもソフトウエアにて固定に設定してもよい。また、受信レベルに対して制限をかけることで、報知情報の受信が困難な状況下（例えば弱電界エリアなど）において、必要以上にＡＦＣ制御値変更を行わないので、処理時間が極端に長くなることはない。また、報知情報が正しく受信できる状況下も同様にこの処理は実行されないので、処理時間の増加はない。
【００４６】
さらに、ＡＦＣ制御データ格納部１８に更新されたＡＦＣ制御データを格納することで、このＡＦＣ制御値変更の処理は、エージングなどによりＶＣ−ＴＣＸＯ１７の周波数がずれ、同期捕捉出来なくなった場合に実行され、以後更新されることによって、長期間の運用に寄与することが出来る。
【００４７】
以上説明したように、本通信端末１によれば、基地局１００との同期捕捉が広範囲に可能となり、ＶＣ−ＴＣＸＯ１７などのエージングによって受信周波数ズレがおきた場合にも、ＡＦＣ機能を発揮して同期捕捉することが出来るので、通信端末１を長期的に運用することができる。
【００４８】
〔２〕本発明の変形例について 
なお、本発明は上述した実施形態に限定されるものではなく、本発明の趣旨を逸脱しない範囲で種々変形して実施することができる。
例えば、上述した実施形態では、ＡＦＣ制御演算部１５はＡＦＣ初期引き込みが失敗すると（ステップＳ５のＮｏルート）、他のチャネルスキャンへ移行した（ステップＳ６）。しかし、本発明はこれに限定されず、図５に示すように、報知情報を正しく受信できなかった場合（ステップＳ７のＮｏルート）だけでなく、ＡＦＣ初期引き込みに失敗した場合であっても（ステップＳ５のＮｏルート）、受信レベルが閾値以上であるか否かの判断を行い（ステップＳ１０）、受信レベルが閾値以上であれば（ステップＳ１０のＹｅｓルート）、Ｊの処理（図４）に移行し、受信レベルが閾値より低ければ（ステップＳ１０のＮｏルート）、他のチャネルスキャンへ移行する（ステップＳ６）ようにしてもよい。これによっても上述した実施形態と同様の作用効果を得ることができる。
【符号の説明】
【００４９】
１  移動体通信端末
２  移動局アンテナ
３  受信部
４  信号処理部
５  制御部
６  メモリ
７  送信部
８  ローカル発振器
１０  Ａ／Ｄコンバータ
１１  逆拡散/ＲＡＫＥ復調部
１２  復号部
１３  パイロット検出部
１４  周波数誤差演算部
１５  ＡＦＣ制御演算部（制御部）
１６  Ｄ／Ａコンバータ
１７  ＶＣ−ＴＣＸＯ
１８  ＡＦＣ制御データ格納部（保持部）
１９  報知情報判定部（判定部）
２０  受信レベル検出部（検出部）
１００  基地局
１０１  基地局用アンテナ
【図１】
2010193082.tif 000003
【図２】
2010193082.tif 000004
【図３】
2010193082.tif 000005
【図４】
2010193082.tif 000006
【図５】
2010193082.tif 000007
【図６】
2010193082.tif 000008